(57)【要約】  【課題】  簡単な機構でかつ省スペース化が図れる風向変更装置を提供する。  【解決手段】  吹出口に設けられた横軸周りに上下方向に揺動する横ルーバと、該横ルーバを上下方向に駆動する横ルーバ駆動手段と、吹出口に設けられ前記水平軸に直交する垂直軸周りに左右方向に揺動する複数の縦ルーバと、該縦ルーバを左右方向に駆動する縦ルーバ駆動手段と、前記横軸の延長線上で縦ルーバ駆動手段の回転運動を直線運動に変換して前記縦ルーバに伝達する伝達機構と、複数の縦ルーバを連動させる連動杆とを備える。これにより、横ルーバを回転自在に軸支する横軸の延長線上で縦ルーバ駆動手段の回転運動を直線運動に変換して縦ルーバに伝達するので、限られたスペース内で縦ルーバの駆動力を縦ルーバに伝達することができる。【選択図】  図７
2007240063.tif 000002
【特許請求の範囲】
【請求項１】
吹出口に設けられた横軸周りに上下方向に揺動する横ルーバと、該横ルーバを上下方向に駆動する横ルーバ駆動手段と、吹出口に設けられ前記水平軸に直交する垂直軸周りに左右方向に揺動する複数の縦ルーバと、該縦ルーバを左右方向に駆動する縦ルーバ駆動手段と、前記横軸の延長線上で縦ルーバ駆動手段の回転運動を直線運動に変換して前記縦ルーバに伝達する伝達機構と、複数の縦ルーバを連動させる連動杆とを備えたことを特徴とする風向変更装置。
【請求項２】
伝達機構は、縦ルーバ駆動手段に揺動自在に連結された揺動アームと、該揺動アームに係合され、揺動アームの揺動により左右方向に直線移動する可動軸とを備え、該可動軸が前記縦ルーバに連結されたことを特徴とする請求項１に記載の風向変更装置。
【請求項３】
可動軸は、前記横軸の延長線上で移動自在とされたことを特徴とする請求項２に記載の風向変更装置。
【請求項４】
可動軸は、横ルーバの左右側板に形成された軸孔に回転自在に挿通されたことを特徴とする請求項３に記載の風向変更装置。
【請求項５】
横ルーバを回転自在に支持する一方の横軸側に横ルーバ駆動手段が連結され、他方の横軸側に縦ルーバ駆動手段および伝達機構を連結されたことを特徴とする請求項１〜４のいずれかに記載の風向変更装置。
【請求項６】
揺動アームは、縦ルーバ駆動手段の回転軸と一体回転可能に連結される縦方向の軸部と、該軸部から横方向に突出する先端フォーク部とを備え、先端フォーク部に可動軸が横方向から係合され、先端フォーク部の縦軸周りの揺動を可動軸の軸方向への移動に変換することを特徴とする請求項２に記載の風向変更装置。
【発明の詳細な説明】
【技術分野】
【０００１】
本発明は、冷凍サイクルの運転によって除湿等が行える空気調節装置に使用される風向変更装置に関するものである。
【背景技術】
【０００２】
この種の風向変更装置として、特許文献１には、吹出口に垂直軸周りに揺動する縦ルーバと、横軸周りに揺動する横ルーバとが設けられ、横ルーバの横軸がモータに連結され、該モータには縦ルーバを揺動させる揺動機構が連結され、１つのモータにより2種類のルーバを駆動するようにしたものが開示されている。
【０００３】
特許文献２には、吹出口の左右両壁に軸支し反吹出口側を上下に回動する横ルーバを設け、横ルーバを吹出口の一方の側壁に取り付けた駆動部により回動すると共に、横ルーバの裏面に支軸孔を設け、この支軸孔に回転軸の下端を軸支した複数の縦ルーバを設け、この複数の縦ルーバを連結板にて連結して左右２つの縦ルーバ群を構成し、縦ルーバ群を連結杆で連結すると共に、一方の連結板に駆動部を取り付け、２つの縦ルーバ群を回動させる温水暖房機の室内機が開示されている。
【特許文献１】特開平５−１０５８２号公報
【特許文献２】特開平１１−２６４５６３号公報
【発明の開示】
【発明が解決しようとする課題】
【０００４】
ところで、この種の風向変更装置は、吹出口に設置されるものであるため、部品点数が少なく、簡単な機構でかつ省スペース化が図れることが望ましい。特許文献１には、２種類のルーバを１つの駆動源で揺動させたものが開示され、特許文献２には、別々の駆動源を用いた風向変更装置が開示されているが、さらに別の機構を用いた風向変更装置の出現も望まれているところである。
【０００５】
本発明は、上記に鑑み、簡単な機構でかつ省スペース化が図れる風向変更装置の提供を目的としている。
【課題を解決するための手段】
【０００６】
上記目的を達成するため、本発明に係る風向変更装置は、吹出口に設けられた横軸周りに上下方向に揺動する横ルーバと、該横ルーバを上下方向に駆動する横ルーバ駆動手段と、吹出口に設けられ前記水平軸に直交する垂直軸周りに左右方向に揺動する複数の縦ルーバと、該縦ルーバを左右方向に駆動する縦ルーバ駆動手段と、前記横軸の延長線上で縦ルーバ駆動手段の回転運動を直線運動に変換して前記縦ルーバに伝達する伝達機構と、複数の縦ルーバを連動させる連動杆とを備えたことを特徴とする。
【０００７】
上記構成によると、横ルーバを回転自在に軸支する横軸の延長線上で縦ルーバ駆動手段の回転運動を直線運動に変換して縦ルーバに伝達するので、限られたスペース内で縦ルーバの駆動力を縦ルーバに伝達することができる。
【０００８】
この伝達機構として、縦ルーバ駆動手段に揺動自在に連結された揺動アームと、該揺動アームに係合され、揺動アームの揺動により左右方向に直線移動する可動軸とを備え、該可動軸が縦ルーバに連結された構成を例示することができる。
【０００９】
上記構成によると、縦ルーバ駆動手段の回転駆動力は、その軸部に連結された揺動アームに伝達され、揺動アームが軸部周りに往復揺動する。揺動アームの揺動により、これに係合される可動軸が直線移動する。したがって、簡単な機構で回転運動を直線運動に変換して縦ルーバに伝達することができる。
【００１０】
この場合の可動軸は、横軸の延長線上で直線的に移動自在とされる。この構成によると、可動軸を横軸の軸方向延長線上に配置することができ、省スペース化が図れる。
【００１１】
可動軸は、横ルーバの左右側板に形成された軸孔に回転自在に挿通される。この構成によると、可動軸が横ルーバの軸孔に回転自在に挿通されるので、省スペース化が可能となる。
【００１２】
また、可動軸が横ルーバを揺動自在に軸支する構成とすることができる。この構成によると、横ルーバを揺動するための新たな軸が不要となり、さらなる省スペース化が可能となる。
【００１３】
さらに、横ルーバを回転自在に支持する一方の横軸側に横ルーバ駆動手段を連結し、他方の横軸側に縦ルーバ駆動手段および伝達機構を連結する構成を採用することができる。
【００１４】
この構成によると、横ルーバと縦ルーバとが吹出口の左右両側に配置された別々の駆動手段により駆動されるので、簡単な機構により２種類のルーバを駆動することができる。
【００１５】
また、揺動アームは、縦ルーバ駆動手段の回転軸と一体回転可能に連結される縦方向の軸部と、該軸部から横方向に突出する先端フォーク部とを備え、先端フォーク部に可動軸が横方向から係合され、先端フォーク部の縦軸周りの揺動を可動軸の軸方向への移動に変換することができる。
【００１６】
上記構成によると、揺動アームの先端フォーク部に可動軸を横方向から係合して、先端フォーク部の縦軸周りの揺動を可動軸の軸方向への移動に変換しているので、その変換機構も簡単な機構となる。
【発明の効果】
【００１７】
本発明によると、横ルーバを回転自在に軸支する横軸の延長線上で縦ルーバ駆動手段の回転運動を直線運動に変換して縦ルーバに伝達するので、簡単な機構でかつ省スペース化が図れる風向変更装置を提供することができる。
【発明を実施するための最良の形態】
【００１８】
以下、本発明の実施形態を図面に基づいて説明する。図１は本発明に係る除湿機の概略構成図である。
【００１９】
図に示すように、本実施形態の除湿機は、ハウジング１が縦方向に長い縦長タイプとされる。ハウジング１内には、圧縮機４、凝縮器３および蒸発器２を配管により順次接続されてなる冷凍サイクルが設けられる。ハウジング１の内部は、上下に仕切られ、上側の区画には蒸発器２および凝縮器３が配される。下側の区画には圧縮機４とドレンタンク５とが配置される。ドレンタンク５は、ハウジング１の前側から出し入れ可能とされる。
【００２０】
ハウジング１の前面の上部には第１吹出口６が形成され、背面側の上下部に第１吸込口７ａおよび第２吸込口７ｂが形成される。また、背面側の中間部には第２吹出口８が形成される。ハウジング１の上面には操作部が設けられる。
【００２１】
ハウジング１の内部には、第１吸込口７ａから蒸発器２を通って第１吹出口６に至る冷風路１０と、第２吸込口７ｂから凝縮器３を通って第２吹出口８に至る温風路１１とが形成される。冷風路１０では、蒸発器２の下流側に第１送風ファン１２が配される。温風路１１では、凝縮器３の下流側に第２送風ファン１３が配される。
【００２２】
また、第１吹出口近傍には、正イオンおよび負イオンを発生するイオン発生装置１５が設けられ、冷風とともに正イオンおよび負イオンが室内に放出される。
【００２３】
温風路１１は、途中で分岐して、第１吹出口６に至る風路が形成される。分岐点は、第２送風ファン１３の下流側に位置し、分岐点に、風の流れ方向を切り替えるダンパ１７が設けられる。ダンパ１７の切替え操作により、温風路１１は、冷風路１０に対して独立した状態と、冷風路１０に接続された状態とに切り替えられる。この送風切替の操作によって、温風が第２吹出口８に向かう風の流れと、温風と冷風とを混合して第１吹出口６に向かう風の流れとが選択できる。
【００２４】
図２は除湿機の正面側からみた外観斜視図、図３はその側面断面図、図４は風向変更装置の分解斜視図、図５は縦ルーバの駆動伝達機構を示す分解斜視図、図６は同じく縦ルーバの駆動伝達機構を示す斜視図、図７は風向変更装置の全体斜視図である。
【００２５】
第1吹出口６には、図２〜図7に示すように、風向変更装置２１が設けられる。風向変更装置２１は、第1吹出口６に設けられた左右両端の横軸２２周りに上下方向に揺動する横ルーバ２４と、該横ルーバを上下方向に揺動する横ルーバ駆動手段２５と、第1吹出口６に設けられ前記横軸２２に直交する垂直軸２６周りに左右方向に揺動する複数の縦ルーバ２７と、該縦ルーバ２７を左右方向に往復駆動する縦ルーバ駆動手段２８と、縦ルーバ駆動手段の回転駆動力を縦ルーバに伝達する伝達機構２９と、複数の縦ルーバ２７を連動させる連動杆３０と、前記横ルーバ駆動手段２５および縦ルーバ駆動手段２８を制御する制御部３１とを備えている。
【００２６】
横ルーバ２４は、板面方向を横方向にするよう左右方向に長く形成される。また、横ルーバ２４は、上下方向で間隔をおいて配された2枚の板材２４ａ、２４ｂから構成され、第1吹出口６を上下に仕切る。上側の横ルーバ２４ａは、側面視円弧状に形成され、上下方向で最も下方に回動したときに第１吹出口６を閉状態とする蓋カバーを兼用する。
【００２７】
上側の横ルーバ２４ａの左右両側部には側板２４ｃが設けられる。また、図７に示すように、横ルーバ２４ａの左右方向中央部には縦方向の中央仕切壁２７ａが形成される。この中央仕切壁２７ａは、左右に可動しない固定形態をなし、縦ルーバ２７よりも小さい形状をしている。中央仕切壁２７ａを縦ルーバ２７よりも小さくすることにより、縦ルーバ２７を左右に可動させたときに、風が中央仕切壁２７ａ付近にて乱流を起こすことなく、室内に放出することができ、風の到達距離を長くすることができる。
【００２８】
また、左右の側板２４ｃのうち一方の側板の左右方向外側に横ルーバ２４を上下方向に回動するための横軸２２が突出形成され、他方の側板２４ｃには、横ルーバ２４を回動させる横軸として機能する伝達機構２９の可動軸３５を貫通する軸孔が形成される。この軸孔に可動軸３５が貫通され、該可動軸３５と前記横軸２２とにより、横ルーバ２４が第１吹出口６の左右側壁６ａ、６ｂに回動自在に支持される。
【００２９】
下側の横ルーバ２４ｂは、その板面内側に複数の縦ルーバ２７を回動自在に支持する複数の垂直軸２６が左右方向に間隔をおいて突出形成される。そして、下側の横ルーバ２４ｂの左右両端はビス等により上側の横ルーバ２４ａの左右側板２４ｃ、２４ｄに固定され、上下の横ルーバ２４ａ、２４ｂ間に冷風路１０から送られてくる風を前方に吹出せるようになっている。
【００３０】
横ルーバ駆動手段２５は、ステッピングモータから構成され、横ルーバ２４の回転（スイング）角および回転速度を可変制御可能とされている。ステッピングモータは、第１吹出口６の側壁６ｂの外側に設置され、そのモータ軸が横ルーバ２４の横軸２２に同軸上で一体回転可能に連結される。
【００３１】
縦ルーバ２７は、板面方向を縦方向とする円板状部材から構成される。各縦ルーバ２７は、上下の横ルーバ２４ａ，２４ｂ間に介在され、かつ左右方向に複数枚間隔をおいて配列される。各縦ルーバ２７の前後方向で後部側に垂直軸２６を通す垂直軸孔３２が形成される。この垂直軸孔３２に垂直軸２６を通すことにより、縦ルーバ２７は、垂直軸２６周りに回動自在とされる。
【００３２】
縦ルーバ２７の前後方向で前側の上縁部には、連結ピン３３が上方に突出され、該連結ピンに連動杆３０に形成された連結孔３４が回動自在に連結され、連動杆３０を左右方向に移動させることにより複数の縦ルーバ２７が連動して回動するようにする。
【００３３】
縦ルーバ駆動手段２８は、ステッピングモータから構成され、縦ルーバ２７の回転（スイング）角および回転速度を可変制御可能とされている。このステッピングモータは、図４および図５に示すように、第１吹出口６の側壁６ａの外側に配置された軸受部３６にモータ軸を上下方向となるように固定される。ステッピングモータのモータ軸は、その先端が断面Ｄ字形に形成され、伝達機構２９の後述する揺動アーム３８に一体回転可能に連結される。
【００３４】
伝達機構２９は、軸部が軸受部３６に縦軸周りに揺動自在に支持され、軸部３８ａがモータ２８のモータ軸に一体回転可能に連結された揺動アーム３８と、該揺動アーム３８の先端フォーク部３８ｂに係合され揺動アーム３８の往復揺動により前記横軸２２の延長線上で左右方向に往復移動する可動軸３５とを備えている。
【００３５】
揺動アーム３８は、モータ２８のモータ軸と一体回転可能に連結されるよう、断面Ｄ字形に形成された縦方向の軸穴を有する軸部３８ａと、該軸部から横方向に突出する先端フォーク部３８ｂとから構成され、先端フォーク部３８ｂは、上下のフォークの先端から可動軸３５を係合する。上下のフォークのうち、上側のフォークは下側フォークよりも短く形成され、可動軸３５を上側から係合しやすいように設定されている。
【００３６】
可動軸３５は、その軸方向外端側に軸方向に間隔をおいて一対のストッパフランジ４１，４２が形成され、このフランジ間の軸部に揺動アーム３８の先端フォーク部３８ｂが挿入され、両者の係合により、揺動アーム３８の縦軸周りの揺動を可動軸３５の軸方向への往復移動に変換している。
【００３７】
また、可動軸３５は、その中央部が断面円形状に形成されており、軸受部３６の軸孔３６ａに回転自在でかつ軸方向に往復移動自在に嵌合される。軸受部３６の軸孔３６ａの軸方向内端側には筒状のスペーサ４３が係合される。
【００３８】
可動軸３５の軸方向内端側は、偏平に形成されて縦ルーバ２７の連結ピン４０と連結するための連結孔３９が形成されている。連結ピン４０は、可動軸３５と最も近い縦ルーバ２７の上端縁で横軸の軸方向延長線上に形成される。この連結ピン４０と可動軸３５の連結孔３９とが回動自在に連結され、可動軸３５の往復移動により、縦ルーバ２７が垂直軸周りに回動するようになっている。
【００３９】
なお、可動軸３５の連結孔３９は、可動軸３５の横軸方向への移動に対して、縦ルーバ２７の垂直軸２６周りの回動を許容するよう前後方向に長い長孔形状とされる。
【００４０】
連動杆３０は、直杆状に形成され、間隔をおいて連結孔３４が形成され、複数の縦ルーバ２７と連結される。
【００４１】
横ルーバ駆動手段２５および縦ルーバ駆動手段２８のステッピングモータを駆動制御する制御部３１は、マイクロコンピュータから構成され、その回転角、つまり横ルーバ２４および縦ルーバ２７のスイング角および回転速度を制御する。この制御は、横ルーバ２４のスイング周期と縦ルーバ２７のスイング周期とが異なる周期で運転されるように制御する。
【００４２】
また、制御部３１は、選択された運転モードにしたがって冷凍サイクルを制御する。運転モードは、冷風運転、衣類乾燥運転、衣類乾燥（速乾）運転、自動除湿運転、連続運転、送風運転が選択可能とされる。運転モードの選択は、操作部の運転切替ボタンを操作することにより行われる。
【００４３】
また、送風切替の操作により、クールモードとドライモードとが選択できる。クールモードでは、温風路１１と冷風路１０とはそれぞれ独立しており、第１吹出口６から冷風が吹き出され、第２吹出口８から温風が吹き出される。ドライモードでは、温風路１１が冷風路１０に連通して、第１吹出口６から冷風と温風とが同時に吹き出され、第２吹出口８からわずかに温風が吹き出される。
【００４４】
冷風運転では、クールモードを選択する。第１送風ファン１２により、室内の空気が吸込口７ａからフィルタを通して吸い込まれ、蒸発器２を通ったときに冷却されて冷風となる。このとき、水分が蒸発器２の表面に結露して、冷風は除湿される。結露した水分は、ドレンタンク５に集められる。除湿乾燥された冷風は冷風路１０を通って第１吹出口６から吹き出される。また、第２送風ファン１３により、第１吸込口７ｂからフィルタを通して吸い込まれた室内空気は、凝縮器３に導かれ、凝縮器３で加熱されて温風となって温風路１１を通り、第２吹出口８から吹き出される。
【００４５】
衣類乾燥運転では、ドライモードを選択する。第１吸込口７ａから吸い込まれた室内の空気は、蒸発器２を通過して、除湿された冷風となる。凝縮器３によって温められた風は、温風路１１から冷風路１０に流れる。第１吹出口６から乾燥した冷風と温風とが混合されて吹き出される。
【００４６】
衣類乾燥（速乾）運転では、ドライモードを選択して、ヒータ１６を作動させる。風の流れは衣類乾燥運転時と同じである。ヒータ１６の作動により、冷風が温められ、温風と混合されて、より高温になった風が第１吹出口６から吹き出される。
【００４７】
自動除湿運転では、ドライモードを選択する。風の流れは衣類乾燥運転時と同じである。このとき、設定された風量にしたがって、各送風ファン１２、１３が駆動される。また、室温および室内の湿度に応じて、冷凍サイクルの運転が制御され、除湿運転と送風運転とが切り替えられる。
【００４８】
連続運転では、クールモードかドライモードのいずれかを選択する。湿度に関係なく連続した除湿運転が行われる。このとき、設定された風量にしたがって、各送風ファン１２、１３が駆動される。
【００４９】
送風運転では、クールモードかドライモードのいずれかを選択する。冷凍サイクルの運転は行われず、各送風ファン１２、１３だけが駆動される。
【００５０】
上記各運転モードにおいて、第１吹出口６の風向変更装置２１の横ルーバ２４および縦ルーバ２７のより、風は上下方向および左右方向に風向を変更する。このとき、横ルーバ２４を回転自在に軸支する横軸２２の延長線上で縦ルーバ用のモータ２８の回転運動を揺動アーム３８に伝達し、揺動アーム３８の往復揺動により、その先端フォーク部３８ｂに係合する可動軸３５が軸方向に直線移動する。
【００５１】
この可動軸３５の直線移動により、その先端に連結された縦ルーバ２７が垂直軸２６周りに揺動する。この連動杆３０により他の縦ルーバ２７にも伝達され、複数の縦ルーバ２７が同期して揺動することになる。
【００５２】
このように、横ルーバ２４を回転自在に軸支する横軸２２の延長線上で縦ルーバモータ２８の回転運動を直線運動に変換して、可動軸３５から縦ルーバ２７に伝達し、さらに、連動杆３０により他の縦ルーバ２７に伝達するので、簡単な機構で省スペース化が可能な風向変更装置を提供することができる。
【００５３】
なお、本発明は、上記実施形態に限定されるものではなく、本発明の範囲内で上記実施形態に多くの修正および変更を加え得ることは勿論である。例えば、空気調節装置としては、除湿機以外に、一体型空気調和機、分離型空気調和機、冷風機、空気清浄機があげられる。
【図面の簡単な説明】
【００５４】
【図１】本発明に係る除湿機の概略構成を示す図
【図２】除湿機の正面側からみた外観斜視図
【図３】除湿機の側面断面図
【図４】ルーバ装置の分解斜視図
【図５】縦ルーバの風向変更機構を示す分解斜視図
【図６】同じく縦ルーバ風向変更機構を示す斜視図
【図７】ルーバ装置の全体斜視図
【符号の説明】
【００５５】
１    ハウジング
２    蒸発器
３    凝縮器
４    圧縮機
５    ドレンタンク
６    第１吹出口
７ａ    第１吸込口
７ｂ    第２吸込口
８    第２吹出口
１２    第１送風ファン
１３    第２送風ファン
１５    イオン発生装置
１６    ヒータ
２１    風向変更装置
２２    横軸
２４    横ルーバ
２５    横ルーバ駆動手段
２６    垂直軸
２７    縦ルーバ
２８    縦ルーバ駆動手段
２９    伝達機構
３０    連動杆
３１    制御部
３２    垂直軸孔
３３    連結ピン
３４    連結孔
３５    可動軸
３６    軸受部
３６ａ  軸孔
３８    揺動アーム
３８ａ  軸部
３８ｂ  先端フォーク部
３９    連結孔
４０    連結ピン
【図１】
2007240063.tif 000003
【図２】
2007240063.tif 000004
【図３】
2007240063.tif 000005
【図４】
2007240063.tif 000006
【図５】
2007240063.tif 000007
【図６】
2007240063.tif 000008
【図７】
2007240063.tif 000009